(57)【要約】【課題】デジタル方式の商用放送を受信して記録したときに、記録内容に則したチャプタ情報を自動で作成する。【解決手段】受信手段１からの受信信号を記録媒体９に記録する記録再生手段４と、記録媒体９に記録された受信信号をチャプタに分割するチャプタ分割手段２２と、分割されたチャプタに対応するチャプタ情報を生成するチャプタ情報生成手段３とを備え、記録再生手段４は、生成されたチャプタ情報を受信信号に対応付けて記録する構成において、受信手段１が受信するデジタル方式の商用放送における放送の双方向性に基づいて、記録媒体９に記録された受信信号の内容を示す放送内容情報を取得する情報取得手段２１を備え、チャプタ分割手段２２は、情報取得手段２１により取得された放送内容情報に基づいて、記録媒体９に記録された受信信号をチャプタに分割する。【選択図】  図１
2005071417.tif 000002
【特許請求の範囲】
【請求項１】
デジタル方式の商用放送を受信するとともに、受信して得られた信号であり、少なくともデジタル映像信号とデジタル音声信号とを含む受信信号を出力する受信手段と、
受信手段から出力される受信信号をランダムアクセスが可能な記録媒体に記録するとともに前記記録媒体に記録された受信信号を再生する記録再生手段と、
記録媒体に記録された受信信号を、コマーシャルメッセージであるＣＭ情報のみからなるチャプタとＣＭ情報を含まないチャプタとに分割するチャプタ分割手段と、
チャプタ分割手段によって分割されたチャプタに対応するチャプタ情報を生成するチャプタ情報生成手段とを備え、
記録再生手段は、チャプタ情報生成手段によって生成されたチャプタ情報を、前記受信信号に対応付けて前記記録媒体に記録する記録再生装置において、
スキップモードとなるときには、前記記録媒体に記録された受信信号のうちのＣＭ情報を含まないチャプタのみを再生する制御を行い、通常モードとなるときには前記記録媒体に記録された受信信号のＣＭ情報のみからなるチャプタとＣＭ情報を含まないチャプタとの双方を再生する制御を行う再生制御手段と、
記録媒体に記録された受信信号とチャプタ情報とを、ＣＭ情報を含まないチャプタのみからなる受信信号と、この受信信号に対応するチャプタ情報とに編集する編集手段と、
受信手段が受信するデジタル方式の商用放送における放送の双方向性に基づいて、記録媒体に記録された受信信号の内容を示す放送内容情報を取得する情報取得手段とを備え、
チャプタ分割手段は、情報取得手段により取得された放送内容情報に基づいて、受信信号におけるＣＭ情報の単位のそれぞれをチャプタに分割し、
チャプタ情報生成手段は、チャプタに分割されたＣＭ情報単位のそれぞれを示すチャプタ情報に、放送内容情報に基づいて、ＣＭ情報のジャンル分けを示す情報を付加し、
情報取得手段により取得される放送内容情報は、受信信号のタイトルや放送日時やキャスト等といったような、受信信号に関連した情報であるタイトル関連情報を含んでおり、
再生制御手段は、再生するＣＭ情報のジャンルが指定されたときには、チャプタ情報に基づき、指定されたジャンルに対応しないチャプタについては再生をスキップする制御を行い、指定されたジャンルに対応するチャプタについては再生する制御を行い、
且つ、再生制御手段は、チャプタ情報の表示を行うときには、受信信号のタイトルや放送日時やキャス等といったような、タイトル関連情報も併せて表示するための再生の制御を行い、
記録再生手段は、ＣＭ情報を含まないチャプタのみからなる受信信号とこの受信信号に対応するチャプタ情報とを、ＤＶＤビデオ規格に対応した光ディスクに記録することを特徴とする記録再生装置。
【請求項２】
デジタル方式の商用放送を受信するとともに、受信して得られた信号であり、少なくともデジタル映像信号とデジタル音声信号とを含む受信信号を出力する受信手段と、
受信手段から出力される受信信号をランダムアクセスが可能な記録媒体に記録するとともに前記記録媒体に記録された受信信号を再生する記録再生手段と、
記録再生手段によって記録媒体に記録された受信信号をチャプタに分割するチャプタ分割手段と、
チャプタ分割手段によって分割されたチャプタに対応するチャプタ情報を生成するチャプタ情報生成手段とを備え、
記録再生手段は、チャプタ情報生成手段によって生成されたチャプタ情報を、前記受信信号に対応付けて前記記録媒体に記録する記録再生装置において、
受信手段が受信するデジタル方式の商用放送における放送の双方向性に基づいて、前記記録媒体に記録された受信信号の内容を示す放送内容情報を取得する情報取得手段を備え、
チャプタ分割手段は、情報取得手段により取得された放送内容情報に基づいて、前記記録媒体に記録された受信信号をチャプタに分割することを特徴とする記録再生装置。
【請求項３】
チャプタ分割手段は、放送内容情報に基づいて、前記記録媒体に記録された受信信号を、コマーシャルメッセージであるＣＭ情報のみからなるチャプタとＣＭ情報を含まないチャプタとに分割し、
前記記録媒体に記録された受信信号とチャプタ情報とを、ＣＭ情報を含まないチャプタのみからなる受信信号と、この受信信号に対応するチャプタ情報とに編集する編集手段を備えたことを特徴とする請求項２記載の記録再生装置。
【請求項４】
記録再生手段は、ＣＭ情報を含まないチャプタのみからなる受信信号とこの受信信号に対応するチャプタ情報とを、ＤＶＤビデオ規格に対応した光ディスクに記録することを特徴とする請求項３記載の記録再生装置。
【請求項５】
チャプタ分割手段は、放送内容情報に基づいて、前記記録媒体に記録された受信信号を、ＣＭ情報のみからなるチャプタとＣＭ情報を含まないチャプタとに分割し、
スキップモードとなるときには、前記記録媒体に記録された受信信号のうちのＣＭ情報を含まないチャプタのみを再生する制御を行い、通常モードとなるときには記録媒体に記録された受信信号のＣＭ情報のみからなるチャプタとＣＭ情報を含まないチャプタとの双方を再生する制御を行う再生制御手段を備えたことを特徴とする請求項２から請求項４までのいずれかに記載の記録再生装置。
【請求項６】
チャプタ分割手段は、放送内容情報に基づいて、受信信号におけるＣＭ情報の単位のそれぞれをチャプタに分割し、
チャプタ情報生成手段は、チャプタに分割されたＣＭ情報単位のそれぞれを示すチャプタ情報に、放送内容情報に基づいて、ＣＭ情報のジャンル分けを示す情報を付加し、
再生制御手段は、再生するＣＭ情報のジャンルが指定されたときには、チャプタ情報に基づき、指定されたジャンルに対応しないチャプタについては再生をスキップする制御を行い、指定されたジャンルに対応するチャプタについては再生する制御を行うことを特徴とする請求項２から請求項５までのいずれかに記載の記録再生装置。
【請求項７】
デジタル方式の商用放送を受信するとともに、受信して得られた信号であり、少なくともデジタル映像信号とデジタル音声信号とを含む受信信号を出力する受信手段と、
受信手段から出力される受信信号を、ＤＶＤビデオ規格に対応した光ディスクに記録するとともに、光ディスクに記録された受信信号を再生する記録再生手段と、
前記光ディスクに記録された受信信号をチャプタに分割するチャプタ分割手段と、
チャプタ分割手段によって分割されたチャプタに対応するチャプタ情報を生成するチャプタ情報生成手段とを備え、
記録再生手段は、チャプタ情報生成手段によって生成されたチャプタ情報を、前記受信信号が記録された光ディスクに、前記受信信号に対応付けて記録する記録再生装置において、
受信手段が受信するデジタル方式の商用放送における放送の双方向性に基づいて、前記光ディスクに記録された受信信号の内容を示す放送内容情報を取得する情報取得手段を備え、
チャプタ分割手段は、情報取得手段により取得された放送内容情報に基づいて、前記光ディスクに記録された受信信号をチャプタに分割することを特徴とする記録再生装置。
【発明の詳細な説明】
【０００１】
【発明の属する技術分野】
本発明は、デジタル方式の商用放送を受信して得られた信号を、ランダムアクセスが可能な記録媒体に記録するとともに、記録媒体に記録した受信信号を再生する記録再生装置に関するものである。
【０００２】
【従来の技術】
商用放送を受信して得られた映像信号と音声信号とをハードディスクに記録する装置、あるいは、ＤＶＤ−ＲＷ等のメディアに記録する装置が市場に提供されている。これらの装置においては、受信する商用放送がアナログ方式の放送の場合では、受信して得られた映像信号と音声信号とをデジタル信号に変換した後、圧縮処理を行って、ハードディスクあるいはＤＶＤ−ＲＷに記録するようになっている。また、デジタル放送を受信する場合では、受信して得られたデジタル映像信号とデジタル音声信号とを、ハードディスクあるいはＤＶＤ−ＲＷに記録するようになっている（第１の従来技術とする）。
【０００３】
また、以下に示す技術が提案されている（第２の従来技術とする）。すなわち、この技術においては、ＤＶＤビデオ規格に準拠して音声信号と映像信号とを可変レートにて符号化、多重化して、ハードディスクドライブに記録する際に、タイトル内の各チャプタの先頭の静止画をチャプタインデックス画面に一覧表示し、このチャプタインデックス画面において所望の静止画を選択することで、直積的にチャプタをサーチできる機能を、リアルタイムで自動的に生成処理するようにしている。つまり、上書きされてＶＯＢＵ・ＳＲＩが確定した複数のＧＯＰを一定の期間毎に自動的にチャプタに分割し、ハードディスクドライブに記録している。そして、自動的に分割したチャプタの先頭の静止画を読み出することでもって、チャプタインデックス画面を生成している。そして、生成したチャプタイッデックス画面を符号化したのち、ハードディスクドライブに記録している。このため、チャプタインデックス画面の生成が自動化されることになる（例えば、特許文献１参照）。
【０００４】
また、以下に示す技術が提案されている（第３の従来技術とする）。すなわち、この技術においては、録画が完了したプログラムから、コマ送り操作等を用いて、チャプタの境界に設定する画像を表示する。そして、チャプタの境界に設定する画像を表示した状態において、「分割」にカーソルを合わせ、エンターキーを操作すると、チャプタの境界が決定される。また、分割点以降のチャプタに対応するサムネイルが作成される。また、録画中において、一時停止となった場合、一時停止機能が働いたときの録画位置がチャプタの境界に設定され、サムネイルが作成されることも、併せて開示されている（例えば、特許文献２参照）。
【０００５】
また、以下に示す技術が提案されている（第４の従来技術とする）。すなわち、この技術においては、番組内に含まれるコマーシャルメッセージを識別するためのＣＭ識別子を認識するＣＭ識別子取得部を設けている。また、ＣＭ識別子取得部で確認されたＣＭ識別子の有無に応じて、コマーシャルメッセージの映像信号と番組本編の映像信号とを区別して、記録媒体に記録するようになっている。そして、記録媒体に記録した映像信号による番組を再生する場合、コマーシャルメッセージの全てが再生されるまでは、番組本編の再生を禁止している（例えば、特許文献３参照）。
【０００６】
【特許文献１】
特開２００２−２４７５０６号公報（第００３７−第００４４段落）
【特許文献２】
特開２００２−１５２６３６号公報（第００７２−第００７３段落）
【特許文献３】
特開２００２−３１４９１２号公報
【０００７】
【発明が解決しようとする課題】
しかしながら第１の従来技術を用いた場合では、以下に示す問題が生じていた。すなわち、映像信号の記録媒体が、ランダムアクセスが可能であるため、再生したい部分を指定すると、短時間のうちに、指定した部分からの再生を開始させることができる。しかし、商用放送を記録した場合では、再生を開始させたい映像の記録位置が分かりにくいため、サーチ等を行うことによって、再生を開始させたい映像の記録位置を探す必要がある。このため、商用放送を記録した場合においても、記録した番組を、自動で、内容に沿ったチャプタに分割するとともに、分割したチャプタの一覧表示を行う機能が求められていた。
【０００８】
第２の従来技術は、上書きされてＶＯＢＵ・ＳＲＩが確定した複数のＧＯＰを一定の期間毎に自動的にチャプタに分割するようになっている。このため、商用放送を記録した場合では、チャプタの分割位置が、コマーシャルのさなかの位置となる場合や、番組の１つの連続したシーンの途中等となったりすることがある。このため、チャプタの先頭画面を一覧表示した場合にも、再生したい箇所が、どのチャプタに含まれているのかの把握が困難となる場合が多く、使い勝手のよいチャプタ分割を行うことができないものとなっている。
【０００９】
第３の従来技術は、コマ送りの画像を参照しつつ、チャプタの分割位置を決定する必要があるため、一般ユーザが使用する商用放送の記録装置では、操作が難しいものとなり、適用することが困難となっている。また、録画中において、一時停止機能が働いたときの録画位置をチャプタの境界に設定する機能については、録画中にユーザが常に操作しなければならないので、煩わしいものとなる。
【００１０】
第４の従来技術は、番組内に含まれるコマーシャルメッセージと番組本編との識別が可能であるので、この技術を適用する場合では、コマーシャルメッセージの前後のタイミングを、チャプタの分割位置とすることは容易となる。しかし、記録する商用放送が、コマーシャルメッセージを含まない放送となる場合には、チャプタに分割することが困難となっている。
【００１１】
本発明は上記課題を解決するため創案されたものであって、その目的は、デジタル方式の商用放送を受信して記録したときに、記録した信号内容に則したチャプタ情報を自動で作成することのでき、且つ、記録した受信信号にＣＭ情報が含まれるとき、受信信号を、自動で、ＣＭ情報を含まない受信信号に編集することのでき、且つ、記録した受信信号にＣＭ情報が含まれるときにも、ＣＭ情報を含まない部分のみをディスクに記録させることのでき、且つ、記録した受信信号にＣＭ情報が含まれるときにも、ＣＭ情報を含まない部分のみを選択して再生させることのでき、且つ、記録した受信信号にＣＭ情報が含まれるときにも、見たいＣＭ情報については再生し、見たくないＣＭ情報については再生をスキップさせることのでき、且つ、チャプタ情報において、記録した受信信号に関連した情報を表示させることのできる記録再生装置を提供することにある。
【００１２】
また本発明の目的は、デジタル方式の商用放送を受信して記録したときに、記録した信号内容に則したチャプタ情報を自動で作成することのできる記録再生装置を提供することにある。
【００１３】
また上記目的に加え、記録した受信信号にＣＭ情報が含まれるとき、受信信号を、自動で、ＣＭ情報を含まない受信信号に編集することのできる記録再生装置を提供することにある。
【００１４】
また上記目的に加え、記録した受信信号にＣＭ情報が含まれるときにも、ＣＭ情報を含まない部分のみをディスクに記録させることのできる記録再生装置を提供することにある。
【００１５】
また上記目的に加え、記録した受信信号にＣＭ情報が含まれるときにも、ＣＭ情報を含まない部分のみを選択して再生させることのできる記録再生装置を提供することにある。
【００１６】
また上記目的に加え、記録した受信信号にＣＭ情報が含まれるときにも、見たいＣＭ情報については再生し、見たくないＣＭ情報については再生をスキップさせることのできる記録再生装置を提供することにある。
【００１７】
また本発明の目的は、デジタル方式の商用放送を受信して光ディスクに記録したときに、記録した信号内容に則したチャプタ情報を自動で作成して、光ディスクに記録することのできる記録再生装置を提供することにある。
【００１８】
【課題を解決するための手段】
上記課題を解決するため本発明に係る記録再生装置は、デジタル方式の商用放送を受信するとともに、受信して得られた信号であり、少なくともデジタル映像信号とデジタル音声信号とを含む受信信号を出力する受信手段と、受信手段から出力される受信信号をランダムアクセスが可能な記録媒体に記録するとともに前記記録媒体に記録された受信信号を再生する記録再生手段と、記録媒体に記録された受信信号を、コマーシャルメッセージであるＣＭ情報のみからなるチャプタとＣＭ情報を含まないチャプタとに分割するチャプタ分割手段と、チャプタ分割手段によって分割されたチャプタに対応するチャプタ情報を生成するチャプタ情報生成手段とを備え、記録再生手段は、チャプタ情報生成手段によって生成されたチャプタ情報を、前記受信信号に対応付けて前記記録媒体に記録する記録再生装置に適用している。そして、スキップモードとなるときには、前記記録媒体に記録された受信信号のうちのＣＭ情報を含まないチャプタのみを再生する制御を行い、通常モードとなるときには前記記録媒体に記録された受信信号のＣＭ情報のみからなるチャプタとＣＭ情報を含まないチャプタとの双方を再生する制御を行う再生制御手段と、記録媒体に記録された受信信号とチャプタ情報とを、ＣＭ情報を含まないチャプタのみからなる受信信号と、この受信信号に対応するチャプタ情報とに編集する編集手段と、受信手段が受信するデジタル方式の商用放送における放送の双方向性に基づいて、記録媒体に記録された受信信号の内容を示す放送内容情報を取得する情報取得手段とを備えている。そして、チャプタ分割手段は、情報取得手段により取得された放送内容情報に基づいて、受信信号におけるＣＭ情報の単位のそれぞれをチャプタに分割し、チャプタ情報生成手段は、チャプタに分割されたＣＭ情報単位のそれぞれを示すチャプタ情報に、放送内容情報に基づいて、ＣＭ情報のジャンル分けを示す情報を付加し、情報取得手段により取得される放送内容情報は、受信信号のタイトルや放送日時やキャスト等といったような、受信信号に関連した情報であるタイトル関連情報を含んでおり、再生制御手段は、再生するＣＭ情報のジャンルが指定されたときには、チャプタ情報に基づき、指定されたジャンルに対応しないチャプタについては再生をスキップする制御を行い、指定されたジャンルに対応するチャプタについては再生する制御を行い、且つ、再生制御手段は、チャプタ情報の表示を行うときには、受信信号のタイトルや放送日時やキャス等といったような、タイトル関連情報も併せて表示するための再生の制御を行い、記録再生手段は、ＣＭ情報を含まないチャプタのみからなる受信信号とこの受信信号に対応するチャプタ情報とを、ＤＶＤビデオ規格に対応した光ディスクに記録するようになっている。
【００１９】
すなわち、放送内容情報は、記録した受信信号の内容を示す情報となっているので、放送内容情報に基づいて記録した受信信号をチャプタに分割すると、チャプタのそれぞれは、内容に則して分割されたチャプタとなる。また、ＣＭ情報を含まない内容が自動で生成される。また、ＣＭ情報を含まない内容の受信信号が、ディスクに記録される。また、スキップモードを選択するときでは、ＣＭ情報を含まない部分の受信信号のみが再生される。また、見たいジャンルを指定すると、見たいジャンルのＣＭ情報は再生されるが、見たくないジャンルのＣＭ情報は再生されない。また、チャプタ情報の表示においては、タイトル関連情報も併せて表示される。
【００２０】
また本発明に係る記録再生装置は、デジタル方式の商用放送を受信するとともに、受信して得られた信号であり、少なくともデジタル映像信号とデジタル音声信号とを含む受信信号を出力する受信手段と、受信手段から出力される受信信号をランダムアクセスが可能な記録媒体に記録するとともに前記記録媒体に記録された受信信号を再生する記録再生手段と、記録再生手段によって記録媒体に記録された受信信号をチャプタに分割するチャプタ分割手段と、チャプタ分割手段によって分割されたチャプタに対応するチャプタ情報を生成するチャプタ情報生成手段とを備え、記録再生手段は、チャプタ情報生成手段によって生成されたチャプタ情報を、前記受信信号に対応付けて前記記録媒体に記録する記録再生装置に適用している。そして、受信手段が受信するデジタル方式の商用放送における放送の双方向性に基づいて、前記記録媒体に記録された受信信号の内容を示す放送内容情報を取得する情報取得手段を備え、チャプタ分割手段は、情報取得手段により取得された放送内容情報に基づいて、前記記録媒体に記録された受信信号をチャプタに分割するようになっている。
【００２１】
すなわち、放送内容情報は、記録した受信信号の内容を示す情報となっているので、放送内容情報に基づいて記録した受信信号をチャプタに分割すると、チャプタのそれぞれは、内容に則して分割されたチャプタとなる。
【００２２】
また上記構成に加え、チャプタ分割手段は、放送内容情報に基づいて、前記記録媒体に記録された受信信号を、コマーシャルメッセージであるＣＭ情報のみからなるチャプタとＣＭ情報を含まないチャプタとに分割し、前記記録媒体に記録された受信信号とチャプタ情報とを、ＣＭ情報を含まないチャプタのみからなる受信信号と、この受信信号に対応するチャプタ情報とに編集する編集手段を備えている。すなわち、ＣＭ情報を含まない内容が自動で生成されることになる。
【００２３】
また上記構成に加え、記録再生手段は、ＣＭ情報を含まないチャプタのみからなる受信信号とこの受信信号に対応するチャプタ情報とを、ＤＶＤビデオ規格に対応した光ディスクに記録するようになっている。すなわち、ＣＭ情報を含まない内容の受信信号が、ディスクに記録されることになる。
【００２４】
また上記構成に加え、チャプタ分割手段は、放送内容情報に基づいて、前記記録媒体に記録された受信信号を、ＣＭ情報のみからなるチャプタとＣＭ情報を含まないチャプタとに分割し、スキップモードとなるときには、前記記録媒体に記録された受信信号のうちのＣＭ情報を含まないチャプタのみを再生する制御を行い、通常モードとなるときには記録媒体に記録された受信信号のＣＭ情報のみからなるチャプタとＣＭ情報を含まないチャプタとの双方を再生する制御を行う再生制御手段を備えている。すなわち、スキップモードを選択するときでは、ＣＭ情報を含まない部分の受信信号のみが再生されることになる。
【００２５】
また上記構成に加え、チャプタ分割手段は、放送内容情報に基づいて、受信信号におけるＣＭ情報の単位のそれぞれをチャプタに分割し、チャプタ情報生成手段は、チャプタに分割されたＣＭ情報単位のそれぞれを示すチャプタ情報に、放送内容情報に基づいて、ＣＭ情報のジャンル分けを示す情報を付加し、再生制御手段は、再生するＣＭ情報のジャンルが指定されたときには、チャプタ情報に基づき、指定されたジャンルに対応しないチャプタについては再生をスキップする制御を行い、指定されたジャンルに対応するチャプタについては再生する制御を行うようになっている。すなわち、見たいジャンルを指定すると、見たいジャンルのＣＭ情報は再生されるが、見たくないジャンル（指定しなかったジャンル）のＣＭ情報は再生されない。
【００２６】
また本発明に係る記録再生装置は、デジタル方式の商用放送を受信するとともに、受信して得られた信号であり、少なくともデジタル映像信号とデジタル音声信号とを含む受信信号を出力する受信手段と、受信手段から出力される受信信号を、ＤＶＤビデオ規格に対応した光ディスクに記録するとともに、光ディスクに記録された受信信号を再生する記録再生手段と、前記光ディスクに記録された受信信号をチャプタに分割するチャプタ分割手段と、チャプタ分割手段によって分割されたチャプタに対応するチャプタ情報を生成するチャプタ情報生成手段とを備え、記録再生手段は、チャプタ情報生成手段によって生成されたチャプタ情報を、前記受信信号が記録された光ディスクに、前記受信信号に対応付けて記録する記録再生装置に適用している。そして、受信手段が受信するデジタル方式の商用放送における放送の双方向性に基づいて、前記光ディスクに記録された受信信号の内容を示す放送内容情報を取得する情報取得手段を備え、チャプタ分割手段は、情報取得手段により取得された放送内容情報に基づいて、前記光ディスクに記録された受信信号をチャプタに分割する。
【００２７】
すなわち、放送内容情報は、記録した受信信号の内容を示す情報となっているので、放送内容情報に基づいて記録した受信信号をチャプタに分割すると、チャプタのそれぞれは、内容に則して分割されたチャプタとなる。
【００２８】
【発明の実施の形態】
以下に本発明の実施例の形態を、図面を参照しつつ説明する。
図１は、本発明に係る記録再生装置の第１の実施形態の電気的構成を示すブロック線図であり、具体的には、ハードディスクドライブとＤＶＤ−ＲＷとの双方に、受信したデジタル映像信号とデジタル音声信号とを記録可能な装置を示している。
【００２９】
図において、受信手段１は、放送局１８から送信されるデジタル方式の商用放送を受信する。そして、受信して得られた受信信号（少なくともデジタル映像信号とデジタル音声信号とを含む信号）を記録再生手段４に出力する。また、受信した商用放送に、放送された番組の内容（放送時間の詳細を示すデータ、放送内容の詳細を示すデータ、等）を示す放送内容情報が含まれる場合では、受信して得られた放送内容情報をマイクロコンピュータ２に送出する。
【００３０】
記録再生手段４は、受信手段１から出力される受信信号を、ランダムアクセスが可能な記録媒体であるハードディスクドライブ（以下ではＨＤＤと称する）９や、ＤＶＤビデオ規格の光ディスク（例えば、ＤＶＤ−ＲＷ等であり、以下では、単にディスクと称する）１２に記録する。また、ディスク１２やＨＤＤ９に記録された受信信号を再生してＤ／Ａ変換部１０に出力する。このため、受信手段１から出力された信号を、ＤＶＤビデオ規格の信号に変換して、ＤＶＤドライブ８やＨＤＤ９に出力するエンコーダ２６、ディスク１２から読み出された信号やＨＤＤ９から読み出された信号を伸長してＤ／Ａ変換部１０に出力するデコーダ２７を備えている。また、チャプタ情報生成手段３が生成したチャプタ情報を、受信信号に対応付ける形で、ＨＤＤ９やディスク１２に記録する（後に詳述する）。
【００３１】
Ｄ／Ａ変換部１０は、記録再生手段４から出力されるデジタル映像信号やデジタル音声信号を、アナログ映像信号やアナログ音声信号に変換して、外部の設けられた図示されないテレビ受像機に出力する。ＤＶＤドライブ８は、記録再生手段４から出力される信号をディスク１２に記録する。また、ディスク１２に記録された信号を再生して記録再生手段４に出力する。ＨＤＤ９は、記録再生手段４から出力される信号を記録する。また、記録した信号を記録再生手段４に出力する。
【００３２】
モデム５は、マイクロコンピュータ２から出力されるデータを、電話回線１８１を介して、放送局１８の側に伝送する。入力部６は、装置本体の前面パネルに設けられた複数のキースイッチや、リモートコントローラ１１から送信される赤外線を受光するためのユニット等（これらは図示が省略されている）からなり、ユーザの指示が入力される。そして、入力された指示はマイクロコンピュータ２に送出される。時計部７は、受信手段１を用いて受信した受信信号を記録するときに、記録位置を示す目印となるタイムスタンプのための時刻を計時する。このため、図示されない受信装置等を用いて、計時する時刻の誤差が極めて微小（例えば、１／１０秒以下）となるように、常に修正されるようになっている。
【００３３】
マイクロコンピュータ２は、記録再生装置としての主要動作を制御する。また、その機能の一部によって、情報取得手段２１、チャプタ分割手段２２、再生制御手段２３、および、編集手段２４を構成する。
【００３４】
情報取得手段２１は、デジタル方式の商用放送における放送の双方向性に基づいて、ディスク１２やＨＤＤ９に記録された受信信号の内容を示す放送内容情報を、受信手段１の出力から取得する。すなわち、ユーザの指示等に従って、所定時間分の受信信号を、例えば、ＨＤＤ９に記録し終えたときには、モデム５を介して、放送局１８に、ＨＤＤ９に記録した番組の内容を示す放送内容情報の送信を要求する。そして、この要求に対応する形で、放送局１８から放送内容情報が送信されると、放送内容情報は、受信手段１において受信され、出力される。このため、情報取得手段２１は、この放送内容情報を取得して、チャプタ分割手段２２に出力する。
【００３５】
チャプタ分割手段２２は、ディスク１２やＨＤＤ９に記録された受信信号を、放送内容情報に基づいてチャプタに分割する。そして、分割位置を示す情報をチャプタ情報生成手段３に出力する。なお、放送内容情報によって、ディスク１２やＨＤＤ９に記録した受信信号が、ＣＭ情報と番組本編とからなっていることが判明した場合には、ＣＭ情報のみからなるチャプタと、ＣＭ情報を含まないチャプタとに分割する。
【００３６】
チャプタ情報生成手段３は、チャプタ分割手段２２によって分割されたチャプタに対応するチャプタ情報を生成する。すなわち、分割されたチャプタのそれぞれの先頭となる静止画を記録再生手段４から出力させる。そして、記録再生手段４から出力させたチャプタ先頭の静止画を縮小化することによって、サムネイル表示のための画像を生成する。そして、サムネイル表示のための縮小画像とチャプタを示す文字情報等からなるチャプタ情報を生成し、記録再生手段４に出力し、受信信号に対応付ける形でディスク１２やＨＤＤ９に記録させる。
【００３７】
再生制御手段２３は、再生の指示を与えられた信号が、ＣＭ情報と番組本編とを含む受信信号であるとき、再生におけるモードがスキップモードに設定されている場合には、ディスク１２あるいはＨＤＤ９に記録された受信信号のうちで、ＣＭ情報を含まないチャプタのみを再生するように、記録再生手段４の動作を制御する。一方、再生におけるモードが通常モードに設定されている場合には、ディスク１２あるいは時計部７に記録された受信信号のＣＭ情報のみからなるチャプタとＣＭ情報を含まないチャプタとの双方を再生するように、記録再生手段４の動作を制御する。
【００３８】
編集手段２４は、ディスク１２やＨＤＤ９に記録された受信信号とチャプタ情報とを、ＣＭ情報を含まないチャプタのみからなる受信信号と、この受信信号に対応するチャプタ情報とに編集する。すなわち、ディスク１２やＨＤＤ９に記録された受信信号が、ＣＭ情報と番組本編とを含む内容となっている場合においては、受信信号からＣＭ情報のみを含むチャプタを削除する。また、チャプタ情報においても、ＣＭ情報のみを含むチャプタに関する情報を削除する。
【００３９】
図２は、受信信号を記録するときの実施形態の主要動作を示すフローチャートである。必要に応じて同図を参照しつつ、受信信号を記録するときの実施形態の動作を説明する。
【００４０】
リモートコントローラ１１を用いてユーザが受信するチャンネルを指示すると、マイクロコンピュータ２は、受信手段１が受信するチャンネルを、ユーザが指示したチャンネルに設定する。この状態において、リモートコントローラ１１に録画開始の指示が入力されると、マイクロコンピュータ２は、記録再生手段４に記録開始の指示を与える（予約録画においても、同様に、受信するチャンネルを設定した後、録画開始の指示を与える）。記録開始の指示が与えられた記録再生手段４は、受信手段１が受信する受信信号を、エンコーダ２６を用いて、ＤＶＤビデオ規格の信号に変換した後、ＨＤＤ９に記録する（ステップＳ１）。なお、ＨＤＤ９に記録される受信信号には、図４に示したように、記録を開始した時刻を００時００分００秒とする時刻情報が付与される。また、チャプタ分割手段２２は、記録が開始されたときには、記録の開始時に時計部７が計時していた時刻を内部に記憶する（内部に記憶した時刻を２０時５８分００秒とする）。
【００４１】
そして後、受信信号の記録動作が行われているときに、ユーザが録画終了の指示をリモートコントローラ１１に入力すると（あるいは、予約録画の終了時刻になると）、マイクロコンピュータ２は、記録再生手段４における受信信号の記録を停止させる。次いで、情報取得手段２１は、受信手段１が受信するデジタル方式の商用放送における放送の双方向性に基づいて、ＨＤＤ９に記録された受信信号の内容を示す放送内容情報を取得するために、モデム５を介して、放送局１８に、ＨＤＤ９に記録した受信信号に対応する放送内容情報の送信を要求する（ステップＳ２，Ｓ３）。この要求に対応して、放送局１８の側では、デジタル映像信号やデジタル音声信号に重畳する形で放送内容情報を送信する。受信手段１は、放送局１８から送信された放送内容情報を受信すると、受信した放送内容情報をマイクロコンピュータ２に出力する。このため、情報取得手段２１は、受信手段１の出力から放送内容情報（図７に示す）を取り出す（ステップＳ４）。
【００４２】
次いで、情報取得手段２１は、取り出した放送内容情報をチャプタ分割手段２２に与える。放送内容情報が与えられたチャプタ分割手段２２は、ＨＤＤ９に記録された受信信号に付与された時刻（図４に示したように、記録の開始時が００時００分００秒により示される時刻）と、記録を開始したときに時計部７が計時していた時刻（２０時５８分００秒）とから、受信信号に付与されていた時刻の修正を行う。
【００４３】
すなわち、受信信号の記録の開始時刻が２０時５８分００秒であることから、チャプタ分割手段２２は、受信信号に付与された時刻のうち、００時００分００秒に対応する時刻が、２０時５８分００秒であるとして、受信信号に付与された時刻を、実際の放送時刻に修正する。図５は、実際の時刻に修正されたとき、受信信号に付与された時刻を示している（ステップＳ５）。そして後、チャプタ分割手段２２は、図７に示した放送内容情報により示される放送内容の区分を参照して、受信信号をチャプタに分割する。
【００４４】
なお、チャプタ分割手段２２は、受信信号をチャプタに分割するときには、先ず、受信信号をＣＭ情報のみからなる部分と番組本編とに分割する。そして、分割したそれぞれをチャプタとする。すなわち、チャプタ分割手段２２は、図５に示す時刻を参照しつつ説明すると、受信信号を、２０時５８分００秒〜２１時００分００秒までのＣＭ情報、２１時００分００秒〜２１時０２分００秒までのＣＭ情報、２１時０２分００秒〜２１時１５分００秒までの番組本編、２１時１５分００秒〜２１時１７分００秒までのＣＭ情報、２１時１７分００秒からの番組本編、・・・・、２２時４５分００秒までの番組本編、２２時４５分００秒〜２２時４７分００秒までのＣＭ情報、２２時４７分００秒〜２２時５８分００秒までの番組本編、２２時５８分００秒〜２３時００分００秒までのＣＭ情報に分割し、分割したそれぞれをチャプタとする（ステップＳ６）。
【００４５】
そして後、チャプタ分割手段２２は、放送内容情報から、タイトルの開始時刻と終了時刻とを読み取る。このときでは、開始時刻は２１時００分００秒として示されており、終了時刻が２３時００分００秒として示されている。このため、チャプタ分割手段２２は、開始時刻の２１時００分００秒から、終了時刻の２３時００分００秒までの間の受信信号が、記録すべきタイトルの受信信号であると判定する。この判定を行った後には、チャプタ分割手段２２は、２１時００分００秒をタイトルの開始時刻と見なす。そのため、受信信号に付与された時刻を、図６に示した時刻に修正する。
【００４６】
そして後、タイトルの開始時刻の００時００分００秒より前の部分（−００時０２分００秒から００時００分００秒までの部分）６１、および、０２時００分００秒より後の部分６２は、不要部分であるとして、記録再生手段４に指示を与え、該当部分を消去する。このため、ＨＤＤ９においては、図６に示す６３から６４までの範囲の受信信号のみが残されることになる。つまり、余分な部分が除去されることになる（ステップＳ７）。
【００４７】
そして後、チャプタ分割手段２２は、受信信号を上記したチャプタに分割したことを示す情報をチャプタ情報生成手段３に出力する。この情報が与えられたチャプタ情報生成手段３は、分割されたチャプタのそれぞれの先頭の静止画をサムネイル画面とするチャプタ情報を生成して記録再生手段４に出力する（ステップＳ８）。記録再生手段４は、チャプタ情報生成手段３において生成されたチャプタ情報を、該当する受信信号（６３から６４までの部分からなる受信信号）に対応付けてＨＤＤ９に記録する（ステップＳ９）。つまり、ＨＤＤ９においては、６３に示すチャプタから始まり、６４に示すチャプタで終わる受信信号が記録として残されることになる。また、チャプタ情報は、６３が最初のチャプタであり、６４が最後のチャプタであることを示すチャプタ情報となる。
【００４８】
図３は、記録された受信信号をディスクに記録するときと再生するときとの実施形態の主要動作を示すフローチャートである。必要に応じて同図を参照しつつ、ＨＤＤ９に記録された受信信号とチャプタ情報とをディスクに記録するときの動作、および、受信信号を再生するときの動作について説明する。
【００４９】
ＣＭ情報を削除することなく、ディスク１２に記録する指示をリモートコントローラ１１に入力すると、マイクロコンピュータ２は、記録再生手段４を制御することにより、ＨＤＤ９に記録されていた受信信号（６３から６４までの部分からなる受信信号）と、この受信信号に対応するチャプタ情報とを、ディスク１２に記録させる（ステップＳ２１，Ｓ２２，Ｓ２５）。従って、このディスク１２を再生するときでは、チャプタインデックス画面を参照することにより、再生を開始させたい箇所を容易に見つけ出すことができる。
【００５０】
一方、ＣＭ情報を削除してディスク１２に記録する指示をリモートコントローラ１１に入力すると、編集手段２４は、チャプタ情報生成手段３と協働して、ＣＭ情報のみからなるチャプタを削除し、番組本編のチャプタのみからなるチャプタ情報を生成して、記録再生手段４に出力する。記録再生手段４は、このチャプタ情報をＨＤＤ９に記録する（ステップＳ２１〜Ｓ２３）。従って、ＨＤＤ９においては、一時的に２つのチャプタ情報が記録されることになる（ＣＭ情報と番組本編との双方のチャプタを含むチャプタ情報については、削除されることなく保存される）。
【００５１】
この後、編集手段２４は、記録再生手段４を制御して、ＨＤＤ９から番組本編のみのチャプタを読み出してディスク１２に記録させる。また、番組本編のチャプタのみからなるチャプタ情報をディスク１２に記録させる（ステップＳ２４）。その結果、ディスク１２には、ＣＭ情報の無い、番組本編のみからなる受信信号と、この受信信号に対応するチャプタ情報とが記録されることになる。従って、このディスク１２を再生するときでは、チャプタインデックス画面を参照することにより、再生を開始させたい箇所を容易に見つけ出すことができる。また、ＣＭ情報に中断されることなく、番組本編のみを連続して見ることができる。
【００５２】
また、ＨＤＤ９に記録された受信信号を、ＣＭ情報を削除することなく再生する指示をリモートコントローラ１１に入力すると、マイクロコンピュータ２は、記録再生手段４に、ＣＭ情報のチャプタを含むチャプタ情報の出力を指示する。このため、記録再生手段４は、該当するチャプタ情報をＨＤＤ９から出力させ、デコーダ２７を用いて伸長した後、Ｄ／Ａ変換部１０に出力する。従って、Ｄ／Ａ変換部１０の出力が導かれたテレビ受像機においては、ＣＭ情報のチャプタが削除されない受信信号のチャプタインデックス画面が表示される（ステップＳ２１，Ｓ２６，Ｓ２７，Ｓ３１）。そして、チャプタインデックス画面を参照しつつ、リモートコントローラ１１を用いて、再生を開始させたいチャプタを指示すると、マイクロコンピュータ２は、記録再生手段４を制御することによって、指示されたチャプタからの再生を行う（ステップＳ３２）。
【００５３】
一方、ＨＤＤ９に記録された受信信号を、ＣＭ情報を削除して再生する指示をリモートコントローラ１１に入力すると、編集手段２４は、チャプタ情報生成手段３と協働して、ＨＤＤ９に記録されたチャプタ情報を読み出す。そして、読み出したチャプタ情報から、ＣＭ情報のみからなるチャプタを削除し、番組本編のチャプタのみからなるチャプタ情報を生成して、記録再生手段４に出力する。記録再生手段４は、このチャプタ情報をＨＤＤ９に記録する（ステップＳ２１，Ｓ２６〜Ｓ２８）。従って、ＨＤＤ９においては、一時的に２つのチャプタ情報が記録されることになる（ＣＭ情報と番組本編との双方のチャプタを含むチャプタ情報については、削除されることなく保存される）。
【００５４】
そして後、編集手段２４は、記録再生手段４に、番組本編のチャプタのみを示すチャプタ情報の出力を指示する。このため、記録再生手段４は、該当するチャプタ情報をＨＤＤ９から出力させ、デコーダ２７を用いて伸長した後、Ｄ／Ａ変換部１０に出力する。従って、Ｄ／Ａ変換部１０の出力が導かれたテレビ受像機においては、番組本編のチャプタのみからなるチャプタインデックス画面が表示される（ステップＳ２９）。そして、チャプタインデックス画面を参照しつつ、リモートコントローラ１１を用いて、再生を開始させたいチャプタを指示すると、編集手段２４は、記録再生手段４を制御することによって、指示されたチャプタからの再生を行う（ステップＳ３０）。
【００５５】
なお、放送内容情報に、図７に示したように、タイトル関連情報として、例えば、タイトル名、キャスト、放送時刻が含まれる場合では、ディスク１２に記録されたチャプタ情報によるチャプタインデックス画面、あるいは、再生時に表示されるチャプタインデックス画面は、例えば、図８に示した画面となる。すなわち、画面６１０には、チャプタの先頭画面を示す縮小されたサムネイル画像６１１が表示される。また、画面６１０の上部には、タイトル名６１２、放送日時６１３、キャスト６１４、等が、併せて表示されることになる。
【００５６】
また、リモートコントローラ１１に入力された指示が、ディスク１２への記録や再生の指示とは異なる場合には、入力された指示に対応する動作が実行される（ステップＳ２１，Ｓ２６，Ｓ３３）。
【００５７】
なお、受信した放送が、ＣＭ情報を含まない放送であり、放送内容情報が、例えば、図９に示す情報となっている場合には、チャプタ分割手段２２は、放送内容情報における番組本編の分割区分の情報に従って、受信信号をチャプタに分割する。すなわち、２１時００分００秒（修正後の記録位置を示す情報では００時００分００秒に対応）から２１時１４分００秒（修正後の記録位置を示す情報では００時１４分００秒に対応）までの部分、２１時１４分００秒（修正後の記録位置を示す情報では００時１４分００秒に対応）から２１時２２分１５秒（修正後の記録位置を示す情報では００時２２分１５秒に対応）までの部分のそれぞれをチャプタとする。以下、同様の方法でもって、記録した受信信号をチャプタに分割する。そして後の動作は、ＣＭ情報が含まれる場合と同様となる。
【００５８】
以上で、第１の実施形態の説明を終了し、以下に、第２の実施形態について説明する。なお、第２の実施形態は、ブロック線図として示すときには、図１に示す構成となっており、第１の実施形態との構成上の差異は、情報取得手段２１、チャプタ分割手段２２、チャプタ情報生成手段３、および、再生制御手段２３のみとなっている。このため、第１の実施形態と異なる部分についてのみ説明を行う。
【００５９】
情報取得手段２１が取得する放送内容情報は、図７に示す情報に加えて、図１２に示したように、ＣＭ情報の単位のそれぞれの放送開始時刻を示す情報と、ＣＭ情報の単位のそれぞれのジャンル分けを示す情報とを含んでいる。なお、ＣＭ情報の単位のジャンルは、女性向け（例えば、化粧品や生理用品のＣＭ情報、等）、男性向け（男性用整髪料や髭剃り用品のＣＭ情報、等）、および、一般向けの３つのジャンルに分けられているとする（その他のジャンル分けとすることができる）。
【００６０】
チャプタ分割手段２２は、受信信号を、ＣＭ情報のみからなる部分と、ＣＭ情報を含まない部分とに分割する。そして、ＣＭ情報のみからなる部分については、ＣＭ情報の単位に分割する。すなわち、記録した受信信号が図５に示す信号であるとすると、チャプタ分割手段２２は、図１１に示したようなチャプタ分割を行う。詳細に説明すると、ＣＭ情報ＣＭｍ１は４つの単位７１〜７４によって構成されている。このため、チャプタ分割手段２２は、ＣＭ情報ＣＭｍ１を、２１時００分００秒から２１時００分３０秒までのＣＭ情報の単位７１、２１時００分３０秒から２１時０１分００秒までのＣＭ情報の単位７２、２１時０１分００秒から２１時０１分３０秒までのＣＭ情報の単位７３、２１時０１分３０秒から２１時０２分００秒までのＣＭ情報の単位７４の４つのチャプタに分割する。また、２１時０２分００秒から２１時１５分００秒までの番組本編ｍ１を１つのチャプタとする。
【００６１】
以下、２１時１５分００秒から２１時１７分００秒までのＣＭ情報ＣＭｍ２や、２１時１７分００秒から始まる番組本編ｍ２、等についても、同様の方法でもってチャプタに分割する。そして、分割したチャプタを示す情報をチャプタ情報生成手段３に出力する。なお、このときには、ＣＭ情報の単位のそれぞれについてのジャンル分けを示す情報も、併せてチャプタ情報生成手段３に出力する。
【００６２】
チャプタ情報生成手段３は、分割されたチャプタのそれぞれの先頭となる静止画を記録再生手段４から出力させる。そして、記録再生手段４から出力させたチャプタ先頭の静止画を縮小化することによって、サムネイル表示のための画像を生成する。そして、サムネイル表示のための縮小画像とチャプタを示す文字情報、等からなるとともに、ＣＭ情報の単位からなるチャプタについては、ジャンル分けを示す情報を付加したチャプタ情報を生成する。そして、生成したチャプタ情報を、記録再生手段４に出力して、受信信号に対応付ける形で、ディスク１２やＨＤＤ９に記録させる。
【００６３】
再生制御手段２３は、再生の指示を与えられた信号が、ＣＭ情報と番組本編とを含む受信信号であるとき、再生におけるモードがスキップモードに設定されていると、ディスク１２あるいはＨＤＤ９に記録された受信信号のうちで、ＣＭ情報を含まないチャプタのみを再生するように、記録再生手段４の動作を制御する。一方、再生におけるモードが通常モードに設定されている場合には、ディスク１２あるいはＨＤＤ９に記録された受信信号のＣＭ情報のみからなるチャプタとＣＭ情報を含まないチャプタとの双方を再生するように、記録再生手段４の動作を制御する。また、ＣＭ情報のジャンル分け再生のモードなるときには、予め設定されたジャンルに対応するＣＭ情報の単位と番組本編とを再生するように、記録再生手段４の動作を制御する。
【００６４】
上記構成からなる第２の実施形態の受信信号の記録時の動作は、第１の実施形態の動作と略同一となるので、異なる部分についてのみ説明する。
【００６５】
ステップＳ４における放送内容情報の取得においては、取得される放送内容情報は、図１２に示すジャンル分けの情報を含むものとなっている。また、ステップＳ６のチャプタの分割においては、ＣＭ情報のみからなる部分（例えば、ＣＭｍ１）が、ＣＭ情報の単位のそれぞれ（７１〜７４）に分割される。そして、分割されたＣＭ情報の単位のそれぞれがチャプタとなる。また、ステップＳ８のチャプタ情報の生成においては、ＣＭ情報の単位からなるチャプタの情報には、ジャンル分けの情報が付加される。
【００６６】
図１０は、第２の実施形態の再生時の動作を示すフローチャートである。必要に応じて同図を参照しつつ、再生時の動作について説明する。なお、再生時の動作において、図３のフローチャートにより示された動作と同一となるステップには、図３における符号と同一符号を付与している。
【００６７】
第２の実施形態と第１の実施形態との差異は、第２の実施形態にジャンル分け再生のモードが設けられているところにある。このため、スキップモードや通常モードに設定されている場合の動作は、第１の実施形態の動作と同一となる。すなわち、ステップＳ２６〜ステップＳ３０の動作は、第１の実施形態におけるスキップモード時の動作と同一となっている。また、ステップＳ３１，Ｓ３２は、第１の実施形態における通常モード時の動作と同一となっている。
【００６８】
そして、第２の実施形態の動作の特徴であるジャンル分け再生のモードを選択すると、動作は、ステップＳ２６，Ｓ２７，Ｓ４１と移行し、予め設定されたジャンルに対応するＣＭ情報の単位のチャプタと番組本編のチャプタとからなるチャプタ情報が生成される。また、生成されたチャプタ情報を示すチャプタインデックス画面が表示される（ステップＳ４２）。そして、チャプタインデックス画面を参照しつつ、再生を開始するチャプタを指示すると、再生制御手段２３は、記録再生手段４を制御することによって、指示されたチャプタからの再生を開始する（ステップＳ４３）。
【００６９】
すなわち、ユーザが男性であることから、ジャンルＢ、ジャンルＣを再生対象に設定した場合には、チャプタ７２、チャプタ７３は再生されることになるが、チャプタ７１、チャプタ７４は再生されなくなる。このため、ユーザにとっては、有用となるＣＭ情報のみを再生させることができ、不要なＣＭ情報については、スキップした再生を行わせることができるので、極めて使い勝手のよいものとなる。
【００７０】
以上で第２の実施形態の説明を終了し、以下に第３の実施形態について説明する。なお、第３の実施形態は、ＨＤＤ９が省略された構成となっていて、記録再生手段４は、ＤＶＤドライブ８を介して、ＤＶＤビデオ規格に該当するディスク（ＤＶＤ−ＲＷ）１２に受信信号を記録する。また、ディスク（ＤＶＤ−ＲＷやＤＶＤ等）１２に記録された信号を再生する。
【００７１】
上記構成からなる第３の実施形態の記録動作を、図２を参照しつつ説明すると、第３の実施形態においては、受信手段１から出力される受信信号は、記録再生手段４によって、直接に、ディスク１２に記録される（ステップＳ１，Ｓ２）。また、放送内容情報が取得され（ステップＳ３，Ｓ４）、放送時間と録画時間との時間差が修正される（ステップＳ５）。
【００７２】
次いで、チャプタ分割手段２２によって、ディスク１２に記録された受信信号はチャプタに分割された後（ステップＳ６）、タイトル部分の取り出しが行われる（ステップＳ７）。従って、タイトル部分の取り出しが行われた後には、ディスク１２に記録された受信信号の記録位置を示す時間情報が書き換えされる。つまり、ディスク１２においては、実時間の２１時００分００秒から始まった受信信号に付与される時間情報が、００時００分００秒から始まる時間情報に変更される（図５および図６を参照）。そして後、チャプタ情報が生成され（ステップＳ８）、生成されたチャプタ情報は、ディスク１２の所定のエリアに記録される（ステップＳ９）。
【００７３】
このため、上記方法によって記録されたディスク１２を再生するときでは、チャプタインデックス画面を表示することが可能になり、通常のＤＶＤを再生するときと同様に、チャプタインデックス画面を参照しつつ、再生の開始位置を指示することができる。
【００７４】
なお、本発明は上記実施形態に限定されず、第１の実施形態については、ＤＶＤドライブ８を省略した構成とすることができる。
【００７５】
また、デジタル方式の商用放送における双方向性に基づいて、放送内容情報を取得する方法については、モデム５を介して、放送内容情報の送信を放送局１８に要求し、その要求に対応して送信された放送内容情報を受信する方法とした場合について説明したが、放送内容情報の送信要求のためのハードウエアを、放送局１８に情報を送信することが可能な無線装置とし、この無線装置を用いて、放送局１８に放送内容情報の送信を要求する構成とする場合にも、同様に適用することができる。
【００７６】
また、デジタル方式の商用放送における双方向性の基づくその他の方法として、放送局１８からの放送情報の中に、放送内容情報を含む各種の情報が多重化されており、多重化されて送信された情報中に含まれる放送内容情報の取り出しを、受信手段１に指示して、放送内容情報を取得する構成とする場合にも、同様に適用することができる。
【００７７】
【発明の効果】
以上説明したように、本発明では、記録された受信信号は、放送内容情報に基づいてチャプタに分割されるので、チャプタのそれぞれは、内容に則して分割されたチャプタとなっている。また、ＣＭ情報を含まない内容が自動で生成される。且つ、ＣＭ情報を含まない内容の受信信号をディスクに記録可能になっている。且つ、スキップモードを選択するときでは、ＣＭ情報を含まない部分の受信信号のみが再生される。また、見たいジャンルを指定すると、見たいジャンルのＣＭ情報は再生されるが、見たくないジャンルのＣＭ情報は再生されない。且つ、チャプタ情報の表示においては、タイトル関連情報も併せて表示される。このため、デジタル方式の商用放送を受信して記録したときに、記録した信号内容に沿ったチャプタ情報を自動で作成することができ、且つ、記録した受信信号にＣＭ情報が含まれるとき、受信信号を、自動で、ＣＭ情報を含まない受信信号に編集することができ、且つ、記録した受信信号にＣＭ情報が含まれるときにも、ＣＭ情報を含まない部分のみをディスクに記録させることができ、且つ、記録した受信信号にＣＭ情報が含まれるときにも、ＣＭ情報を含まない部分のみを選択して再生させることができ、且つ、記録した受信信号にＣＭ情報が含まれるときにも、見たいＣＭ情報については再生し、見たくないＣＭ情報については再生をスキップさせることができ、且つ、チャプタ情報において、記録した受信信号に関連した情報を表示させることができる。
【００７８】
また本発明では、受信手段が受信するデジタル方式の商用放送における放送の双方向性に基づいて、記録された受信信号の内容を示す放送内容情報を取得するとともに、取得した放送内容情報に基づいて、記録した受信信号をチャプタに分割するようになっている。このため、チャプタのそれぞれは、内容に則して分割されたチャプタとなるので、デジタル方式の商用放送を受信して記録したときに、記録した信号の内容に則したチャプタ情報を自動で作成することができる。
【００７９】
またさらに、編集手段は、記録媒体に記録された受信信号とチャプタ情報とを、ＣＭ情報を含まないチャプタのみからなる受信信号と、この受信信号に対応するチャプタ情報とに編集する。このため、ＣＭ情報を含まない内容が自動で生成されるので、記録した受信信号にＣＭ情報が含まれるとき、受信信号を、自動で、ＣＭ情報を含まない受信信号に編集することができる。
【００８０】
またさらに、記録再生手段は、ＣＭ情報を含まないチャプタのみからなる受信信号とこの受信信号に対応するチャプタ情報とを、ＤＶＤビデオ規格に対応した光ディスクに記録するようになっている。このため、記録した受信信号にＣＭ情報が含まれるときにも、ＣＭ情報を含まない部分のみをディスクに記録させることができる。
【００８１】
またさらに、スキップモードを選択するときでは、ＣＭ情報を含まない部分の受信信号のみが再生されるので、記録した受信信号にＣＭ情報が含まれるときにも、ＣＭ情報を含まない部分のみを選択して再生させることができる。
【００８２】
またさらに、見たいジャンルを指定すると、見たいジャンルのＣＭ情報は再生されるが、見たくないジャンルのＣＭ情報は再生されないようになっている。このため、記録した受信信号にＣＭ情報が含まれるときにも、見たいＣＭ情報については再生し、見たくないＣＭ情報については再生をスキップさせることができる。
【００８３】
また本発明では、受信手段が受信するデジタル方式の商用放送における放送の双方向性に基づいて、記録された受信信号の内容を示す放送内容情報を取得するとともに、取得した放送内容情報に基づいて、記録した受信信号をチャプタに分割するようになっている。このため、チャプタのそれぞれは、内容に則して分割されたチャプタとなるので、デジタル方式の商用放送を受信して光ディスクに記録したときに、記録した信号の内容に則したチャプタ情報を自動で作成して光ディスクに記録することができる。
【図面の簡単な説明】
【図１】本発明に係る記録再生装置の一実施形態の電気的構成を示すブロック線図である。
【図２】受信信号の記録時の実施形態の主要動作を示すフローチャートである。
【図３】記録された受信信号をディスクに記録するときと再生するときとの実施形態の主要動作を示すフローチャートである。
【図４】記録された受信信号を示す説明図である。
【図５】記録された受信信号を示す説明図である。
【図６】記録された受信信号を示す説明図である。
【図７】放送内容情報を示す説明図である。
【図８】チャプタインデックス画面を示す説明図である。
【図９】ＣＭ情報を含まない商用放送の放送内容情報を示す説明図である。
【図１０】ジャンル分けされたＣＭ情報を再生する場合の実施形態の動作を示す説明図である。
【図１１】ＣＭ情報のチャプタ分割の状態を示す説明図である。
【図１２】ジャンル分けの情報を含む放送内容情報を示す説明図である。
【符号の説明】
１  受信手段
３  チャプタ情報生成手段
４  記録再生手段
９  ハードディスクドライブ
１２  光ディスク（ＤＶＤ−ＲＷ）
２１  情報取得手段
２２  チャプタ分割手段
２３  再生制御手段
２４  編集手段
６３，６４  ＣＭ情報
７１〜７４  チャプタに分割されたＣＭ情報の単位
７５  番組本編
６１１  サムネイル画像
６１２〜６１４  タイトル関連情報
【図１】
2005071417.tif 000003
【図２】
2005071417.tif 000004
【図３】
2005071417.tif 000005
【図４】
2005071417.tif 000006
【図５】
2005071417.tif 000007
【図６】
2005071417.tif 000008
【図７】
2005071417.tif 000009
【図８】
2005071417.tif 000010
【図９】
2005071417.tif 000011
【図１０】
2005071417.tif 000012
【図１１】
2005071417.tif 000013
【図１２】
2005071417.tif 000014